(57)【要約】【課題】従来の電気掃除機ノズルでは広い面積に対しては一度の払拭幅がノズルの幅に限定されてしまう。なん回もノズルを前方に送り出したり戻したりせねばならず効率が悪い。日常の労力としてはかなり煩わしい。【解決手段】電気掃除機用のノズルにおいて、円筒形ノズルの側面に略正方形の穴を設け、雫形浮遊体を取り付けた撹拌紐を該ノズルの先端部の内側に固定し、円弧の軟質ゴム帯を側面長手方向に左右２列配置した。【選択図】図１
2011167480.tif 000002
【特許請求の範囲】
【請求項１】
電気掃除機用のノズルにおいて、長さが約６９０〜７３０ミリメートルで直径が約４５〜５０ミリメートルの円筒形ノズルの側面に約１３〜１５ミリメートルの略正方形の穴を７個設け、直径約９ミリの雫形浮遊体を取り付けた直径が約４ミリメートルで約５４５〜５８０ミリメートルの長さの撹拌紐を該ノズルの先端部内側に固定し、幅が約１３〜１５ミリメートル、厚みが約５〜７ミリメートルの断面が円弧の軟質ゴム帯を長手方向に左右２列配置したことを特徴とする電気掃除機用ノズル。
【発明の詳細な説明】
【技術分野】
【０００１】  本発明は一般家庭の掃除時間・労力の軽減を図った電気掃除機用ノズルに関する。
【背景技術】
【０００２】  従来の家庭用の電気掃除機に付属しているノズルは先端に平面の吸塵口を持つものが多い。一般的なノズルは主に部屋の平場や広い場所で使用されていて、先端に偏平状筒を付けたものは隅部や壁ぎわ、狭い場所、隙間で使用されていることが多い。【０００３】  最近は下記の先行技術文献１に示すように、通常のノズルでは清掃の難しい隙間塵埃を吸引除去するための電気掃除機用吸引ノズルに関する開発がされている。  また、特許文献２に示すように、昇降旋回自在な補助車輪を設けたことによって床ブラシを疲労感なく左右方向に移動させることができる電気掃除機用床ブラシも出願されている。
【先行技術文献】
【特許文献】
【０００４】
【特許文献１】特開２００６−６８０４８号  公報
【特許文献２】特開平５−９５８６２号  公報
【発明の概要】
【発明が解決しようとする課題】
【０００５】  従来の電気掃除機ノズルは一般的に３００ミリメートル程度の幅であり、広い面積を掃除するには何回も行き来させなければならなく、広い面積に対しては一度の払拭幅がノズルの幅に限定されてしまう。その動作は床面を一筆書きのようにノズル幅で短冊状に掃き進めるに等しく効率が悪い。吸い残しがないようにするためには、前進だけでなく後退や、ずらしたりすることが必要である。【０００６】  特許文献１は吸引ノズルの先端部を幅方向に扇状に広げたものであり、隙間の掃除には適するが、広い面積の掃除には適さない。  また、特許文献２はブラシを電動で回転しながら走行して掃除するものであるが、狭い部屋で簡単に使うことはできない。【０００７】  本発明はこれら上記課題を解決し、効率よく幅広く簡単に払拭できる安価な電気掃除機用ノズルを開発することを課題とする。
【課題を解決するための手段】
【０００８】  上記課題を解決するために本発明の電気掃除機用ノズルは、長さが約６９０〜７３０ミリメートルで直径が約４５〜５０ミリメートルのプラスチックノズル側面に約１３〜１５ミリメートルの略正方形の穴を７個設け、該ノズルの先端部内側に、直径約９ミリの雫形浮遊体を取り付けた直径が４ミリメートルで約５４５〜５８０ミリメートルの長さの紐を固定し、幅が約１３〜１５ミリメートル、厚みが約５〜７ミリメートルの断面が円弧の軟質ゴム帯を長手方向に左右２列配置したことを特徴とする。
【発明の効果】
【０００９】  本発明はノズルの長い側面で吸い込むので、左右、扇形に移動させるなどの一動作で払拭面積を拡大することが出来る。また穴のない先端や手元周辺でも直近の穴から強力な平面吸引力を得られるので、部屋の隅や狭い所でも強力に吸引することができる。さらに、本発明のノズルは撹拌紐の末端に取り付けた雫形の浮遊体が吸引に応じてノズル内の吸引空気を攪拌するので、日常で発生する綿埃・髪の毛なども特段の吸引力低下はなく掃除できる。そのため、本発明のノズルを使うと、日常の掃除時間や労力の短縮・軽減を図ることが出来る。
【図面の簡単な説明】
【００１０】
【図１】本発明の電気掃除機用ノズルの説明図
【図２】空気の流れを説明するための図
【発明を実施するための形態】
【００１１】  以下、本発明の実施の一例にもとづき実施の形態を、図面を参照しつつ詳細に説明する。
【実施例】
【００１２】  実施例の概観は図１に示したが、試作においては、ノズル本体１はプラスチック製のパイプから製作した。ノズル本体１は閉口した先端部３と、等間隔に開口された７個の吸引口４と、断面が円弧状の軟質ゴム帯７を長手方向に左右２列配置し固定した。ノズル本体１の閉口した先端部３の内側の中心部には、末端に直径約９ミリの樹脂製の雫形浮遊体６を取り付けた直径が約４ミリメートルで長さが約５４５〜５８０ミリメートルの撹拌紐５を固定した。  この雫形浮遊体６を取り付けた撹拌紐５は、掃除機の吸引に応じてノズル内部で埃の混じった吸引空気を攪拌する効果をもたらす。【００１３】  ノズル本体１は、長さが約６９０ミリメートルで直径が約５０ミリメートルにしたが、その長さは６９０〜７３０ミリメートルの範囲にあればよく、直径も約４５〜５０ミリメートルの範囲であればよい。  ノズル本体１を一般的な電気掃除機に連結する際には、長さが約８０ミリメートルの接続部２を挿入する。【００１４】  ノズル本体１の側面には、等間隔に開口された７個の吸引口４は、それぞれが約１３〜１５ミリメートルの略正方形に開口され、約７０ミリメートル間隔に設けられている。【００１５】  また、本体１の長手方向の吸引口４の両側には、幅約１３〜１５ミリメートルの断面の円弧状の軟質ゴム帯７を配置して、吸引効果を高めるとともに接地面の横滑りをよくした。【００１６】  図２に示すようにノズル本体１の内部で出口に向かう吸引空気の流れ８は接続部２側から電気掃除機側連結部を通って電気掃除機本体へ向かう。  吸引すると、ノズル本体１の内部では吸引空気の流れ８によって、雫形浮遊体６を取り付けた撹拌紐５が出口へ向って伸びて浮遊し、接続部２の方向に引っ張られるが、撹拌紐５が振動しながら引っ張られるために、撹拌紐５周辺に乱気流を起こし空気を撹拌する。【００１７】  雫形浮遊体６の形状を雫形にしたので、吸引される空気の流れにより撹拌されだけでなく、撹拌紐５が揺らされて撹拌が大きく活発になる。空気が撹拌されることで撹拌紐５へと誘引される空気の流れ９が出来、吸引ロスの少ない空気の流れ１０が得られるので、塵や埃の吸い込みがスムースになる。
【符号の説明】
【００１８】１．ノズル本体
２．接続部
３．閉口した先端部
４．吸引口
５．撹拌紐
６．雫形浮遊体
７．円弧状の軟質ゴム帯
８．出口へ向かう吸引空気の流れ
９．誘引される空気の流れ
１０．吸引ロスの少ない空気の流れ
【図１】
2011167480.tif 000003
【図２】
2011167480.tif 000004
【手続補正書】
【提出日】平成22年7月7日(2010.7.7)
【手続補正１】
【補正対象書類名】特許請求の範囲
【補正対象項目名】請求項１
【補正方法】変更
【補正の内容】
【請求項１】
電気掃除機用のノズルにおいて、長さが約６９０〜７３０ミリメートルで直径が約４５〜５０ミリメートルの円筒形ノズルの側面に約１３〜１５ミリメートルの略正方形の穴を７個設け、直径約９ミリの雫形浮遊体を取り付けた直径が約４ミリメートルで約５４５〜５８０ミリメートルの長さの撹拌紐を該ノズルの閉口した先端部の内側の中心部に固定し、幅が約１３〜１５ミリメートル、厚みが約５〜７ミリメートルの断面が円弧の軟質ゴム帯をノズルの長手方向に略正方形の穴の左右に２列配置したことを特徴とする電気掃除機用ノズル。